(57)【要約】      （修正有）【課題】エラーの対処を速やかに行うことができる情報処理装置を提供する。【解決手段】異常関連アラートの発生を検知するとＳ１０１、アラートの種別が致命的エラーであるかＳ１０２、エラーの予兆であるかＳ１０４に応じて、担当サービスへの連絡を促すメッセージ、又は、処置方法を示すメッセージＳ１０７を表示するとともに、アラートの種別と監視サーバとの通信が可能であるかＳ１０５、Ｓ１０６とに応じて、監視サーバへの通知を行う。【選択図】図８
2019144879.tif 000002
【特許請求の範囲】
【請求項１】
所定の事象の発生を監視する監視装置と通信を行う情報処理装置であって、
前記情報処理装置で発生した所定の事象の種別を判別する種別判別手段と、
前記所定の事象の発生を検知した旨を示す情報を前記監視装置に送信する送信手段と、
前記情報処理装置及び前記監視装置の間の通信可否を判別する通信可否判別手段と、
前記所定の事象の発生に関する通知を前記情報処理装置の表示手段に表示する制御を行う表示制御手段とを備え、
前記表示制御手段は、前記所定の事象の種別及び前記通信可否判別手段によって判別した結果に基づいて前記情報処理装置の修理担当サービスへ連絡を促す通知を前記表示手段に表示するか否かを判別することを特徴とする情報処理装置。
【請求項２】
前記所定の事象は、前記情報処理装置の異常に関連するアラートであることを特徴とする請求項１記載の情報処理装置。
【請求項３】
前記所定の事象は、前記情報処理装置の全ての機能が利用不可能となる異常を検知したことを示す第１のアラート、前記情報処理装置の一部の機能が利用不可能となる異常を検知したことを示す第２のアラート、及び前記情報処理装置の少なくとも一部の機能が利用不可能となる異常の予兆を検知したことを示す第３のアラートの何れかであることを特徴とする請求項２記載の情報処理装置。
【請求項４】
前記表示制御手段は、前記第１のアラートが発生した場合、前記情報処理装置の修理担当サービスへ連絡を促す通知を前記表示手段に表示することを特徴とする請求項３記載の情報処理装置。
【請求項５】
前記表示制御手段は、前記第２のアラートが発生し且つ前記監視装置と通信不可能である場合、前記情報処理装置の修理担当サービスへ連絡を促す通知を前記表示手段に表示することを特徴とする請求項３又は４記載の情報処理装置。
【請求項６】
前記表示制御手段は、前記第２のアラートが発生し且つ前記監視装置と通信可能である場合、前記情報処理装置の修理担当サービスへ連絡を促す通知を前記表示手段に表示しないことを特徴とする請求項３乃至５のいずれか１項に記載の情報処理装置。
【請求項７】
前記表示制御手段は、前記第３のアラートが発生した場合、前記情報処理装置の修理担当サービスへ連絡を促す通知を前記表示手段に表示しないことを特徴とする請求項３乃至６のいずれか１項に記載の情報処理装置。
【請求項８】
所定の事象の発生を監視する監視装置と通信を行う情報処理装置の制御方法であって、
前記情報処理装置で発生した所定の事象の種別を判別する種別判別ステップと、
前記所定の事象の発生を検知した旨を示す情報を前記監視装置に送信する送信ステップと、
前記情報処理装置及び前記監視装置の間の通信可否を判別する通信可否判別ステップと、
前記所定の事象の発生に関する通知を前記情報処理装置の表示手段に表示する制御を行う表示制御ステップとを有し、
前記表示制御ステップは、前記所定の事象の種別及び前記通信可否判別ステップで判別した結果に基づいて前記情報処理装置の修理担当サービスへ連絡を促す通知を前記表示手段に表示するか否かを判別することを特徴とする情報処理装置の制御方法。
【請求項９】
所定の事象の発生を監視する監視装置と通信を行う情報処理装置の制御方法をコンピュータに実行させるプログラムであって、
前記情報処理装置の制御方法は、
前記情報処理装置で発生した所定の事象の種別を判別する種別判別ステップと、
前記所定の事象の発生を検知した旨を示す情報を前記監視装置に送信する送信ステップと、
前記情報処理装置及び前記監視装置の間の通信可否を判別する通信可否判別ステップと、
前記所定の事象の発生に関する通知を前記情報処理装置の表示手段に表示する制御を行う表示制御ステップとを有し、
前記表示制御ステップは、前記所定の事象の種別及び前記通信可否判別ステップで判別した結果に基づいて前記情報処理装置の修理担当サービスへ連絡を促す通知を前記表示手段に表示するか否かを判別することを特徴とするプログラム。
【発明の詳細な説明】
【技術分野】
【０００１】
本発明は、情報処理装置、その制御方法、及びプログラムに関する。
【背景技術】
【０００２】
動作の異常や搭載された各部品の故障等のエラーを検知するための自己診断を行う情報処理装置が知られている。情報処理装置はエラーが発生した際に上記情報処理装置の表示部に警告通知を表示する。警告通知には、例えば、発生したエラーの内容を示すエラーコードが含まれる。また、ユーザが修理不可能程の重大なエラーが発生した場合、警告通知には、上記エラーコードの他に、上記情報処理装置の担当サービスへ連絡を促すメッセージも含まれる。ユーザは表示されたメッセージが示す担当サービスへ修理を依頼し、担当サービスから派遣されたサービスマンが情報処理装置の修理を行う。
【０００３】
また、情報処理装置では、該情報処理装置の修理を依頼する別の手段として、遠隔監視サービスが利用されることがある。遠隔監視サービスでは、ユーザの許諾を得た上で、上記情報処理装置の販売会社が管理する監視サーバが上記情報処理装置のエラーの発生を監視する。遠隔監視サービスを利用する情報処理装置において上記重大なエラーが発生すると、監視サーバ経由で担当サービスへ修理が依頼される。このため、遠隔監視サービスを利用する情報処理装置では、上記重大なエラーが発生した際に、情報処理装置の担当サービスへ連絡を促すメッセージが表示部に表示されない（例えば、特許文献１参照）。
【先行技術文献】
【特許文献】
【０００４】
【特許文献１】特開２０１４−７３６３２号公報
【発明の概要】
【発明が解決しようとする課題】
【０００５】
しかしながら、従来では、監視サーバが情報処理装置におけるエラーの発生を検知できない状態である場合、監視サーバ経由で担当サービスへ修理が依頼されず、エラーの対処が遅れてしまうという問題が生じる。
【０００６】
本発明の目的は、エラーの対処を速やかに行うことができる情報処理装置、その制御方法、及びプログラムを提供することにある。
【課題を解決するための手段】
【０００７】
上記目的を達成するために、本発明の情報処理装置は、所定の事象の発生を監視する監視装置と通信を行う情報処理装置であって、前記情報処理装置で発生した所定の事象の種別を判別する種別判別手段と、前記所定の事象の発生を検知した旨を示す情報を前記監視装置に送信する送信手段と、前記情報処理装置及び前記監視装置の間の通信可否を判別する通信可否判別手段と、前記所定の事象の発生に関する通知を前記情報処理装置の表示手段に表示する制御を行う表示制御手段とを備え、前記表示制御手段は、前記所定の事象の種別及び前記通信可否判別手段によって判別した結果に基づいて前記情報処理装置の修理担当サービスへ連絡を促す通知を前記表示手段に表示するか否かを判別することを特徴とする。
【発明の効果】
【０００８】
本発明によれば、エラーの対処を速やかに行うことができる。
【図面の簡単な説明】
【０００９】
【図１】本発明の実施の形態に係る情報処理装置としてのＭＦＰを含む通信システムの構成を概略的に示すネットワーク図である。
【図２】図１の監視サーバの構成を概略的に示すブロック図である。
【図３】図１のＭＦＰの構成を概略的に示すブロック図である。
【図４】図３の操作部の外観図である。
【図５】図４の表示部に表示される設定画面の一例を示す図である。
【図６】図４の表示部に表示されるサポート登録画面の一例を示す図である。
【図７】図４の表示部に表示される許諾設定画面の一例を示す図である。
【図８】図１のＭＦＰによって実行される通知制御処理の手順を示すフローチャートである。
【図９】図１のＭＦＰで発生するアラートの種別を説明するための図である。
【図１０】図４の表示部に表示される警告画面の一例を示す図である。
【図１１】図４の表示部に表示される警告画面の一例を示す図である。
【図１２】図４の表示部に表示される警告画面の一例を示す図である。
【発明を実施するための形態】
【００１０】
以下、本発明の実施の形態について図面を参照しながら詳細に説明する。なお、本実施の形態では、監視サーバによって監視される情報処理装置としてのＭＦＰに本発明を適用した場合について説明するが、本発明はＭＦＰに限られない。例えば、監視サーバと通信可能な携帯端末やクライアントＰＣ等の装置に本発明を適用してもよい。
【００１１】
図１は、本発明の実施の形態に係る情報処理装置としてのＭＦＰ１０１を含む通信システム１００の構成を概略的に示すネットワーク図である。図１において、通信システム１００は、ＭＦＰ１０１、監視装置としての監視サーバ１０２、及びサービス出動管理サーバ１０３を備える。ＭＦＰ１０１及び監視サーバ１０２はネットワーク１０４を介して接続されている。監視サーバ１０２及びサービス出動管理サーバ１０３はＬＡＮ１０５を介して接続されている。
【００１２】
ＭＦＰ１０１はネットワーク１０４で接続された外部装置（不図示）からＰＤＬデータを受信し、受信したＰＤＬデータに基づいて印刷を行う。また、ＭＦＰ１０１は後述する図３のスキャナ３０８により、配置された原稿を読み取って画像データを生成する。ＭＦＰ１０１では、該ＭＦＰ１０１の保守契約とは別に、後述する図６のサポート登録画面６００を用いたサポート登録が行われると、遠隔監視サービスが有効化される。遠隔監視サービスでは、監視サーバ１０２によってＭＦＰ１０１における所定の事象、具体的に、ＭＦＰ１０１の異常に関連するアラート（以下、「異常関連アラート」という。）の発生状況が監視される。遠隔監視サービスが有効化されると、ＭＦＰ１０１は、該ＭＦＰ１０１で異常関連アラートが発生した際に上記異常関連アラートの内容を含むアラート情報を監視サーバ１０２に送信する。監視サーバ１０２は、サポート登録が行われた装置における異常関連アラートの発生状況を監視する。例えば、監視サーバ１０２は、異常関連アラートの内容を含むアラート情報をＭＦＰ１０１から受信すると、上記アラート情報に基づいてＭＦＰ１０１におけるアラートの発生を検知し、ＭＦＰ１０１の修理を行うサービスマンの派遣依頼をサービス出動管理サーバ１０３に送信する。サービス出動管理サーバ１０３は監視サーバ１０２から受信した派遣依頼に応じてサービスマンを手配する。
【００１３】
図２は、図１の監視サーバ１０２の構成を概略的に示すブロック図である。図２において、監視サーバ１０２は、ＣＰＵ２０１、ＲＡＭ２０２、ＨＤＤ２０３、ネットワークＩ／Ｆ２０４、及び周辺機器Ｉ／Ｆ２０５を備える。ＣＰＵ２０１、ＲＡＭ２０２、ＨＤＤ２０３、ネットワークＩ／Ｆ２０４、及び周辺機器Ｉ／Ｆ２０５はシステムバス２０６を介して互いに接続されている。
【００１４】
ＣＰＵ２０１は監視サーバ１０２全体を統括的に制御する。ＣＰＵ２０１はＨＤＤ２０３から読み出したプログラムをＲＡＭ２０２に展開し、ＲＡＭ２０２に展開されたプログラムを実行する。ＨＤＤ２０３はＣＰＵ２０１が実行するプログラム等を格納する。ＲＡＭ２０２は、ＣＰＵ２０１の作業領域として、また、各データの一時格納領域として用いられる。ネットワークＩ／Ｆ２０４は、ネットワーク１０４で接続されたＭＦＰ１０１等の外部装置とデータ通信を行う。また、ネットワークＩ／Ｆ２０４は、ＬＡＮ１０５で接続されたサービス出動管理サーバ１０３とデータ通信を行う。周辺機器Ｉ／Ｆ２０５は、図示しないディスプレイやキーボード等の周辺機器を監視サーバ１０２に接続するためのインターフェースである。監視サーバ１０２は、周辺機器Ｉ／Ｆ２０５に接続された周辺機器を制御することにより、ユーザに対して情報を出力し、また、ユーザから指示を受け付ける。
【００１５】
図３は、図１のＭＦＰ１０１の構成を概略的に示すブロック図である。ＭＦＰ１０１は、コントローラ３００、プリンタ３０６、スキャナ３０８、及び操作部３１０を備える。コントローラ３００は、プリンタ３０６、スキャナ３０８、及び操作部３１０と接続されている。また、コントローラ３００は、ＣＰＵ３０１、ＲＡＭ３０２、ＨＤＤ３０３、ネットワークＩ／Ｆ３０４、プリンタＩ／Ｆ３０５、スキャナＩ／Ｆ３０７、及び操作部Ｉ／Ｆ３０９を備える。ＣＰＵ３０１、ＲＡＭ３０２、ＨＤＤ３０３、ネットワークＩ／Ｆ３０４、プリンタＩ／Ｆ３０５、スキャナＩ／Ｆ３０７、及び操作部Ｉ／Ｆ３０９はシステムバス３１１を介して互いに接続されている。
【００１６】
コントローラ３００はＭＦＰ１０１全体を統括的に制御する。ＣＰＵ３０１はＨＤＤ３０３から読み出したプログラムをＲＡＭ３０２に展開し、ＲＡＭ３０２に展開されたプログラムを実行する。ＲＡＭ３０２はＣＰＵ３０１の作業領域として、また、各データの一時格納領域として用いられる。ＨＤＤ３０３は、ＣＰＵ３０１が実行するプログラムや、ＭＦＰ１０１の各種設定値、ユーザから依頼された処理に関するデータ、及び外部装置から受信したデータ等を格納する。ネットワークＩ／Ｆ３０４はネットワーク１０４で接続された監視サーバ１０２等の外部装置とデータ通信を行う。
【００１７】
プリンタＩ／Ｆ３０５は、コントローラ３００及びプリンタ３０６を接続するためのインターフェースである。例えば、プリンタＩ／Ｆ３０５は、ＣＰＵ３０１から送信された画像データをプリンタ３０６に転送する。また、プリンタＩ／Ｆ３０５はプリンタ３０６から受信した当該プリンタ３０６の状態情報をＣＰＵ３０１に転送する。プリンタ３０６は、プリンタＩ／Ｆから受信した画像データを用紙に印刷する。また、プリンタ３０６は当該プリンタ３０６の状態情報をプリンタＩ／Ｆ３０５に出力する。
【００１８】
スキャナＩ／Ｆ３０７は、コントローラ３００及びスキャナ３０８を接続するためのインターフェースである。例えば、スキャナＩ／Ｆ３０７は、ＣＰＵ３０１から送信された画像読み取り指示をスキャナ３０８に転送する。また、スキャナＩ／Ｆ３０７は、スキャナ３０８から受信した画像データをＣＰＵ３０１に転送する。さらに、スキャナＩ／Ｆ３０７はスキャナ３０８から受信した当該スキャナ３０８の状態情報をＣＰＵ３０１に転送する。スキャナ３０８は、スキャナＩ／Ｆ３０７から受信した画像読み取り指示に従って、配置された原稿を読み取り、読み取った情報のデジタルデータをスキャナＩ／Ｆ３０７に出力する。また、スキャナ３０８は、当該スキャナ３０８の状態情報をスキャナＩ／Ｆ３０７に出力する。
【００１９】
操作部Ｉ／Ｆ３０９は、操作部３１０でユーザが入力した指示の内容をＣＰＵ３０１に出力する。また、操作部Ｉ／Ｆ３０９は、ＣＰＵ３０１から受信した制御信号に基づいて操作部３１０における画面の表示制御を行う。操作部３１０はＭＦＰ１０１のユーザインターフェースである。操作部３１０は、図４に示すように、表示部４０１、スタートキー４０２、テンキー４０３、及びストップキー４０４を備える。
【００２０】
表示部４０１は液晶で構成され、上記液晶の表面はタッチパネルシートで覆われている。表示部４０１はソフトキーを含む各種設定画面、例えば、図５の設定画面５００を表示し、表示されたソフトキーがユーザに押下されると、押下された位置を示す位置情報をＣＰＵ２０１に送信する。スタートキー４０２は、例えば、ユーザが原稿の読み取り動作の開始を指示する際に用いられる。スタートキー４０２の中央部は緑と赤の２色のＬＥＤで構成され、上記ＬＥＤの点灯色によってスタートキー４０２が使用可能であるか否かが示される。テンキー４０３は、数字や文字のボタンで構成され、例えば、印刷部数の設定や表示部４０１における画面の切り替えを指示する際に用いられる。ストップキー４０４は、例えば、稼働中の動作を止める指示をユーザが行う際に用いられる。
【００２１】
図６は、図４の表示部４０１に表示されるサポート登録画面６００の一例を示す図である。サポート登録画面６００は遠隔監視サービスのサポート登録を行うための設定画面である。サポート登録画面６００は、サービス一覧６０１、取り消しボタン６０２、及び次へボタン６０３を備える。サービス一覧６０１には遠隔監視サービスで利用可能なサービスの一覧が表示される。ユーザはサービス一覧６０１の中から所望のサービスを選択可能である。サポート登録画面６００において取り消しボタン６０２が押下されると、ＭＦＰ１０１の遠隔監視サービスが有効化されることなく、表示部４０１の表示がサポート登録画面６００から別の画面に切り替わる。サポート登録画面６００において次へボタン６０３が押下されると、表示部４０１の表示がサポート登録画面６００から図７の許諾設定画面７００に切り替わる。
【００２２】
許諾設定画面７００は、取り消しボタン７０２及び許諾ボタン７０３を備える。許諾設定画面７００の表示欄７０１には、サービス一覧６０１で選択されたサービスを示す情報、遠隔監視サービスの利用に伴う注意事項、及び同意確認事項等が表示される。許諾設定画面７００において取り消しボタン７０２が押下されると、ＭＦＰ１０１の遠隔監視サービスが有効化されることなく、表示部４０１の表示が許諾設定画面７００から別の画面に切り替わる。許諾設定画面７００において許諾ボタン７０３が押下されると、監視サーバ１０２と通信を行うことを示す監視サーバ１０２の通信設定が「ＯＮ」に設定され、ＭＦＰ１０１の遠隔監視サービスが有効化される。これにより、ＭＦＰ１０１では、ユーザが修理不可能な程の重大な異常を示すアラートが発生した際にユーザが担当サービス（修理担当サービス）に問い合わせを行わなくても、ＭＦＰ１０１の修理を行うサービスマンがサービス出動管理サーバ１０３によって手配される。
【００２３】
図８は、図１のＭＦＰ１０１によって実行される通知制御処理の手順を示すフローチャートである。図８の処理は、ＣＰＵ３０１がＨＤＤ３０３に格納されたプログラムを実行することによって行われる。図８の処理は、ＭＦＰ１０１で異常関連アラートが発生した際に実行される。
【００２４】
図８において、ＣＰＵ３０１は異常関連アラートの発生を検知する（ステップＳ１０１）。異常関連アラートは、具体的に、図９に示す致命的エラー、部分的エラー、及びエラー予兆である。致命的エラーはＭＦＰ１０１の全ての機能が利用不可能となる異常を検知した際に発生する。致命的エラーが発生すると、ユーザは、異常状態が解消されるまでＭＦＰ１０１を利用することができない。部分的エラーはＭＦＰ１０１の一部の機能が利用不可能となる異常を検知した際に発生する。例えば、スキャン動作を伴う機能で使用されるスキャナ３０８で異常が検知された際に発生する。部分的エラーが発生すると、ユーザは一部の機能の利用が制限されるが、上記一部の機能以外の他の機能を利用可能である。例えば、スキャナ３０８の異常に起因する部分的エラーが発生した場合、ユーザは、スキャン動作を伴うスキャン機能やコピー機能を利用できないが、スキャン動作を伴わないプリント機能を利用可能である。エラー予兆は、ＭＦＰ１０１の少なくとも一部の機能が利用不可能となる異常の予兆を検知した際に発生する。エラー予兆を検知した段階では、ユーザはＭＦＰ１０１の全ての機能を制限なく利用可能である。本実施の形態では、発生した異常関連アラートの種別に応じてユーザに対して異なる通知が行われる。次いで、ＣＰＵ３０１は、発生した異常関連アラートの種別が「致命的エラー」であるか否かを判別する（ステップＳ１０２）（種別判別手段）。
【００２５】
ステップＳ１０２判別の結果、発生した異常関連アラートの種別が「致命的エラー」であるとき、ＣＰＵ３０１はユーザに対する通知として、図１０の警告画面１０００を表示部４０１に表示する（ステップＳ１０３）。警告画面１０００は、担当サービスへ連絡を促すメッセージ１００１を含む。また、遠隔監視サービスが有効化されている場合、ＣＰＵ３０１は監視サーバ１０２に異常関連アラートの内容及びＭＦＰ１０１の識別ＩＤを含むアラート情報を送信する。このとき、警告画面１０００のステータ表示部１００２には監視サーバ１０２にアラート情報を送信したことを示すメッセージ１００３が表示される。このように、本実施の形態では、ＭＦＰ１０１の全ての機能が利用不可能となる異常が検知された場合、サービスマンの迅速な手配が優先され、監視サーバ１０２経由で修理が依頼される一方で、ユーザが修理依頼を行う手段も提供される。その後、ＣＰＵ３０１は本処理を終了する。
【００２６】
ステップＳ１０２の判別の結果、発生した異常関連アラートの種別が「致命的エラー」でないとき、ＣＰＵ３０１は発生した異常関連アラートの種別が「エラー予兆」であるか否かを判別する（ステップＳ１０４）（種別判別手段）。
【００２７】
ステップＳ１０４の判別の結果、発生した異常関連アラートの種別が「エラー予兆」であるとき、ＣＰＵ３０１はユーザに対する通知を行わない、つまり、表示部４０１に警告画面を表示することなく、本処理を終了する。
【００２８】
ステップＳ１０４の判別の結果、発生した異常関連アラートの種別が「エラー予兆」でないとき、ＣＰＵ３０１は発生した異常関連アラートが「部分的エラー」であると判別する。ＣＰＵ３０１は監視サーバ１０２の通信設定が「ＯＮ」であるか否かを判別する（ステップＳ１０５）（通信可否判別手段）。
【００２９】
ステップＳ１０５の判別の結果、監視サーバ１０２の通信設定が「ＯＮ」であるとき、ＣＰＵ３０１は、監視サーバ１０２の通信テストを成功したか否かを判別する（ステップＳ１０６）（通信可否判別手段）。ステップＳ１０６では、例えば、ＣＰＵ３０１は、ステップＳ１０１で異常関連アラートの発生を検知した際に実行した通信テストを成功したか否かを判別する。若しくは、ＣＰＵ３０１は、異常関連アラートの発生の検知に関わらずに定期的に実行された監視サーバ１０２の通信テストの実行結果に基づいてステップＳ１０６の判別処理を行う。
【００３０】
ステップＳ１０６の判別の結果、監視サーバ１０２の通信テストを成功したとき、ＣＰＵ３０１は監視サーバ１０２と通信可能であると判別する。ＣＰＵ３０１は、異常関連アラートの内容及びＭＦＰ１０１の識別ＩＤを含むアラート情報を監視サーバ１０２に送信する。また、ＣＰＵ３０１は、ユーザに対する通知として、図１１の警告画面１１００を表示部４０１に表示する（ステップＳ１０７）。警告画面１１００にはＭＦＰ１０１で検知した異常の内容と処置方法を示すメッセージ１１０１が表示される。本実施の形態では、ＭＦＰ１０１が監視サーバ１０２と通信可能である場合、監視サーバ１０２経由でＭＦＰ１０１の修理が依頼されるので、メッセージ１１０１には担当サービスへ連絡を促す内容が含まれない。また、警告画面１１００のステータスライン部１１０２には、監視サーバ１０２経由で修理が依頼されたので担当サービスからの連絡を待機する旨を示すメッセージ１１０３が表示される。その後、ＣＰＵ３０１は本処理を終了する。
【００３１】
ステップＳ１０６の判別の結果、監視サーバ１０２の通信テストを失敗したとき、又はステップＳ１０５の判別の結果、監視サーバ１０２の通信設定が「ＯＦＦ」であるとき、つまり、監視サーバ１０２と通信不可能であるとき、ＣＰＵ３０１はユーザに対する通知として、図１２の警告画面１２００を表示部４０１に表示する（ステップＳ１０８）。警告画面１２００にも警告画面１０００と同様に、担当サービスへ連絡を促すメッセージ１２０１が含まれる。また、ＣＰＵ３０１は、監視サーバ１０２と通信不可能であると、監視サーバ１０２にアラート情報を送信できないので、警告画面１２００のステータスライン部１２０２にはアラート情報を送信した旨を示すメッセージ等が表示されない。その後、ＣＰＵ３０１は本処理を終了する。
【００３２】
上述した図８の処理によれば、異常関連アラートの種別及び監視サーバ１０２との通信可否に基づいて担当サービスへ連絡を促すメッセージを表示部４０１に表示するか否かが判別される。すなわち、監視サーバ１０２以外から担当サービスに修理を依頼する別の手段が提供される。これにより、監視サーバがＭＦＰ１０１における異常関連アラートの発生を検知できない状態であっても、監視サーバ以外から担当サービスへ修理を依頼することができ、もって、異常関連アラートに対する対処を速やかに行うことができる。
【００３３】
また、上述した図８の処理では、異常関連アラートは、致命的エラー、部分的エラー、及びエラー予兆の何れかである。これにより、発生したアラートの影響度の大きさに応じて監視サーバ１０２以外から担当サービスに修理を依頼する別の手段を提供するか否かを制御することができる。
【００３４】
上述した図８の処理では、致命的エラーが発生した場合、担当サービスへ連絡を促すメッセージ１００１が表示部４０１に表示される。これにより、ＭＦＰ１０１の全ての機能が利用不可能になる程の重大な異常が検知された際に、担当サービスに修理を依頼することができなくなるのを防ぐことができる。
【００３５】
また、上述した図８の処理では、部分的エラーが発生し且つ監視サーバ１０２と通信不可能である場合、担当サービスへ連絡を促すメッセージ１２０１が表示部４０１に表示される。これにより、監視サーバ１０２と通信不可能であることに起因して、ＭＦＰ１０１の一部の機能が利用不可能になる程の異常の修理を担当サービスに依頼することができなくなるのを防ぐことができる。
【００３６】
さらに、上述した図８の処理では、部分的エラーが発生し且つ監視サーバ１０２と通信可能である場合、担当サービスへ連絡を促す通知が表示部４０１に表示されない。これにより、担当サービスに対し、監視サーバ１０２と同じ内容がユーザから依頼されるのを抑制することができる。
【００３７】
上述した図８の処理では、エラー予兆が発生した場合、担当サービスへ連絡を促す通知が表示部４０１に表示されない。これにより、不要な通知が表示されることに起因するユーザの混乱を防ぐことができる。
【００３８】
以上、本発明について、上述した実施の形態を用いて説明したが、本発明は上述した実施の形態に限定されるものではない。例えば、ＭＦＰ１０１が監視サーバ１０２と通信不可能である場合、警告画面１２００のステータスライン部１２０２にはアラート情報の送信を失敗した旨を示すメッセージが表示されても良い。このようにすることで、遠隔監視サービスが機能していないことをユーザに伝えることができる。
【００３９】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００４０】
１０１  ＭＦＰ
１０２  監視サーバ
３０１  ＣＰＵ
３１０  操作部
４０１  表示部
１００１，１２０１  メッセージ
【図１】
2019144879.tif 000003
【図２】
2019144879.tif 000004
【図３】
2019144879.tif 000005
【図４】
2019144879.tif 000006
【図５】
2019144879.tif 000007
【図６】
2019144879.tif 000008
【図７】
2019144879.tif 000009
【図８】
2019144879.tif 000010
【図９】
2019144879.tif 000011
【図１０】
2019144879.tif 000012
【図１１】
2019144879.tif 000013
【図１２】
2019144879.tif 000014